(57)【要約】【課題】例えば、液晶装置の用途やユーザの要求に応じて、液晶分子のプレチルト角を変更する。【解決手段】画像のコントラストを高める場合、即ち液晶装置（１）が高コントラスト仕様で使用される場合には、初期印加電圧（Ｖａ）は、当該初期印加電圧（Ｖａ）が液晶分子（５０ｂ）に印加された状態で液晶分子（５０ｂ）の長軸が配向膜（１６）に垂直に近い角度で交わるように（即ち、プレチルト角（θ）が９０°に近い９８°程度になるように）設定される。駆動電圧に対する液晶分子（５０ｂ）の応答性を高めることを重視する場合、初期印加電圧（Ｖｂ）は、初期印加電圧（Ｖｂ）が液晶分子（５０ｂ）に印加された状態で液晶分子（５０ｂ）の長軸と配向膜（１６）とが相互に平行に近くなるように（即ち、プレチルト角（θ）が０°に近い１°乃至２°になるように）設定される。【選択図】図５
2010060969.tif 000002
【特許請求の範囲】
【請求項１】
光を変調可能な液晶分子を含む液晶素子を有しており、前記液晶素子に印加された電圧に応じて画像を表示可能な表示部と、
当該液晶装置の用途に基づいて、前記液晶分子に印加されるべき初期印加電圧を特定する特定手段と
を備えたことを特徴とする液晶装置。
【請求項２】
前記特定手段は、前記画像を視聴するユーザが前記画像に要求する表示品位に基づいて、前記初期印加電圧を特定すること
を特徴とする請求項１に記載の液晶装置。
【請求項３】
光を変調可能な液晶分子を含む液晶素子を有しており、前記液晶素子に印加された電圧に応じて画像を表示可能な表示部と、
前記画像を視聴するユーザが前記画像に要求する表示品位に基づいて、前記液晶分子に印加されるべき初期印加電圧を特定する特定手段と
を備えたことを特徴とする液晶装置。
【請求項４】
前記特定手段は、前記表示部を構成する複数の画素部の夫々毎に前記初期印加電圧を設定すること
を特徴とする請求項１から３の何れか一項に記載の液晶装置。
【請求項５】
請求項１から４の何れか一項に記載の液晶装置を具備してなること
を特徴とする電子機器。
【発明の詳細な説明】
【技術分野】
【０００１】
本発明は、例えば、液晶装置、及びそのような液晶装置をライトバルブとして具備してなるプロジェクタ等の電子機器の技術分野に関する。
【背景技術】
【０００２】
この種の液晶装置では、垂直配向性のポリイミド膜等の配向膜によって液晶分子のプレチルト角が所定の角度に設定されることによって、画像の表示品位を高める技術が提案されている（例えば、特許文献１参照。）。
【０００３】
【特許文献１】特開平６−２７３７７２号公報
【発明の開示】
【発明が解決しようとする課題】
【０００４】
この種の液晶装置では、動画が表示される場合には、静止画を表示する場合に比べて、駆動電圧に対する液晶分子の応答性が要求される。より具体的には、液晶分子の配向状態が液晶分子に印加される駆動電圧に対して即座に変更可能であることが要求される。また、この種の液晶装置では、表示される画像のコントラストが高いほうが画像の表示品位を高める観点から見ればより好ましい。
【０００５】
駆動電圧に対する液晶分子の応答性と、表示される画像のコントラストとは、通常、トレードオフの関係にあり、駆動電圧に対する液晶分子の応答性を高めることを重視する場合には、応答性が高まるように配向膜が作り込まれ、画像のコントラストを高めることを重視する場合には、コントラストが高まるように配向膜が作り込まれ、液晶分子のプレチルト角が所定の角度に設定される。より具体的には、例えば、液晶分子の配向モードが垂直配向モードである場合には、駆動電圧が液晶分子に印加されていない状態で液晶分子の長軸と配向膜とが相互に平行になるように、配向膜に所定のラビング処理が施される。一方、液晶分子の配向モードが垂直配向モードである場合、画像のコントラストを高める場合には、駆動電圧が液晶分子に印加されていない状態で配向膜に対して液晶分子の長軸が垂直に近い角度で交わるように、配向膜に所定のラビング処理が施される。したがって、液晶装置を製造する際には、静止画を表示する際の表示品位を重視するか、或いは動画を表示する際の表示品位を重視するかといった当該液晶装置の用途に応じて、配向膜のラビング処理等の製造プロセス条件が特定されてしまうため、例えば、液晶装置の機種数を減らすことによって液晶装置の生産効率を高めることが困難であった。
【０００６】
また、液晶装置によって表示される画像を視聴するユーザは、当該画像を介してユーザに提供されるコンテンツに応じて、画像の表示モードを変更したいと考える場合もある。より具体的には、例えば、スポーツ中継等のように動画の表示品位が重視される場合には、ユーザは、画像のコントラストより画像のぼけ等の表示不良が低減された画像を観たいと考える。
【０００７】
よって、本発明は上記問題点等に鑑みてなされたものであり、例えば、液晶装置の用途やユーザの要求に応じて、液晶分子のプレチルト角を変更可能な液晶装置、及びそのような液晶装置を具備してなるプロジェクタ等の電子機器を提供することを課題とする。
【課題を解決するための手段】
【０００８】
本発明の第１の発明に係る液晶装置は上記課題を解決するために、光を変調可能な液晶分子を含む液晶素子を有しており、前記液晶素子に印加された電圧に応じて画像を表示可能な表示部と、当該液晶装置の用途に基づいて、前記液晶分子に印加されるべき初期印加電圧を特定する特定手段とを備える。
【０００９】
本発明に係る液晶装置によれば、表示部は、例えば、基板上にマトリクス状に設けられた複数の画素部から構成されており、光源から出射された光が各画素部における液晶分子によって変調される。このような液晶分子に印加される電圧は、当該液晶装置の動作時において、表示部を構成する各画素部に供給された画像信号に応じて設定される。尚、表示部は、複数の画素部からなる表示領域に画像を表示してもよいし、表示部から出射された表示光をスクリーンに投射することによって、当該スクリーンに画像を表示してもよい。
【００１０】
特定手段は、例えば、当該液晶装置の駆動回路と共に当該液晶装置を駆動する回路部の一部を構成しており、当該液晶装置の用途に基づいて、前記液晶分子に印加されるべき初期印加電圧を特定する。ここで、「初期印加電圧」は、画像信号に応じて液晶分子を駆動するために当該液晶分子に印加される駆動電圧とは異なり、液晶分子のプレチルト角を設定するために当該液晶分子に印加される電圧であり、当該液晶装置が表示する動画の表示品位を重視するか、或いは静止画の表示品位を重視するかに基づいて特定される用途に応じて特定手段によって特定される。
【００１１】
このような初期印加電圧は、垂直配向モードで画像を表示する場合を例に挙げると、駆動電圧に対する液晶分子の応答性を高めることを重視する場合、初期印加電圧は、当該初期印加電圧が液晶分子に印加された状態で液晶分子の長軸と配向膜とが相互に平行になるように設定される。一方、液晶分子の配向モードが垂直配向モードである場合、画像のコントラストを高める場合には、初期印加電圧は、当該初期印加電圧が液晶分子に印加された状態で液晶分子の長軸が配向膜に垂直に近い角度で交わるように設定される。
【００１２】
したがって、本発明に係る液晶装置によれば、静止画を表示する際の表示品位を重視するか、或いは動画を表示する際の表示品位を重視するかといった当該液晶装置の用途に応じて配向膜のラビング処理等の製造プロセス条件が特定されることがないため、液晶装置の機種数を減らすことができ、液晶装置の生産効率を高めることが可能である。
【００１３】
本発明の第１の発明に係る液晶装置の一の態様では、前記特定手段は、前記画像を視聴するユーザが前記画像に要求する表示品位に基づいて、前記初期印加電圧を特定してもよい。
【００１４】
この態様によれば、ユーザは、当該液晶装置の使用時に、動画及び静止画のどちらの画像の表示品位を重視するのかを特定する。より具体的には、例えば、ユーザは、動画が表示される際に生じる画像のボケを低減することを重視するのか、或いは静止画が表示される際の画像のコントラストを重視するのかを特定し、液晶装置とユーザとの間のインターフエス機能を介してその旨を当該液晶装置に入力する。特定手段は、ユーザによって特定された表示品位で動画或いは静止画が表示されるように、初期印加電圧を特定する。
【００１５】
したがって、この態様によれば、液晶装置が使用される際に、液晶装置の具体的構成、より具体的には、例えば、配向膜のラビング処理の条件によって特定される液晶分子のプレチルト角に制限されることなく、ユーザが要求する表示品位で画像が表示可能となるように、液晶分子のプレチルト角を設定することが可能である。
【００１６】
本発明の第２の発明に係る液晶装置は上記課題を解決するために、を変調可能な液晶分子を含む液晶素子を有しており、前記液晶素子に印加された電圧に応じて画像を表示可能な表示部と、前記画像を視聴するユーザが前記画像に要求する表示品位に基づいて、前記液晶分子に印加されるべき初期印加電圧を特定する特定手段とを備える。
【００１７】
本発明に係る液晶装置によれば、表示部は、上述の第１の発明に係る液晶装置と同様に、複数の画素部からなる表示領域に画像を表示してもよいし、表示部から出射された表示光をスクリーンに投射することによって、当該スクリーンに画像を表示してもよい。
【００１８】
ユーザは、上述の第１の発明に係る液晶装置の一態様と同様に、当該液晶装置の使用時に、動画及び静止画のどちらの画像の表示品位を重視するのかを特定する。特定手段は、ユーザによって特定された表示品位で動画或いは静止画が表示されるように、初期印加電圧を特定する。
【００１９】
したがって、本発明に係る液晶装置によれば、液晶装置が使用される際に、液晶装置の具体的構成、より具体的には、例えば、配向膜のラビング処理の条件によって特定される液晶分子のプレチルト角に制限されることなく、ユーザが要求する表示品位で画像が表示可能となるように、液晶分子のプレチルト角を設定することが可能である。したがって、本発明に係る液晶装置によれば、動画が表示される際に生じ得る画像のボケの低減、或いは静止画が表示される際の画像のコントラストの向上の何れか実現可能となるように、液晶分子のプレチルト角を設定可能である。
【００２０】
本発明の第１及び第２の発明の夫々に係る液晶装置では、前記特定手段は、前記表示部を構成する複数の画素部の夫々毎に前記初期印加電圧を設定してもよい。
【００２１】
この態様によれば、当該液晶装置によって表示される画像の輝度或いはコントラストを当該画像内で均一にすることが可能である。
【００２２】
本発明に係る電子機器は上記課題を解決するために、上述した本発明の液晶装置を具備してなる。
【００２３】
本発明に係る電子機器によれば、上述した本発明に係る液晶装置を具備してなるので、高品位の表示が可能な、プロジェクタ等の投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００２４】
本発明のこのような作用及び他の利得は次に説明する実施形態から明らかにされる。
【発明を実施するための最良の形態】
【００２５】
以下、図面を参照しながら、本発明に係る液晶装置及び電子機器の各実施形態を説明する。
【００２６】
＜１：液晶装置＞
＜１−１：液晶装置の電気的構成＞
図１を参照しながら、本発明の第１の発明に係る液晶装置の実施形態である液晶装置１の電気的に構成を説明する。図１は、液晶装置１の電気的な構成を示したブロック図である。
【００２７】
液晶装置１は、表示部２００、駆動回路部２１０、及び本発明の「特定手段」の一例である特定回路部２２０を備えており、外部回路部２３０から駆動回路部２１０に供給される各種信号に応じて表示部２００に画像を表示可能に構成されている。
【００２８】
表示部２００は、基板上にマトリクス状に設けられた複数の画素部から構成されており、例えば、プロジェクタ等の電子機器の一部として当該電子機器に搭載された状態で、バックライト等の光源から出射された光を各画素部における液晶分子によって変調する。このような液晶分子に印加される電圧、即ち液晶分子を駆動するための駆動電圧は、当該液晶装置１の動作時において、表示部２００を構成する各画素部に供給された画像信号に応じて設定される。尚、液晶装置１は、複数の画素部からなる表示部２００の表示領域に画像を表示する直視型ディスプレイとして用いられてもよいし、表示部２００から出射された表示光をスクリーンに投射することによって、当該スクリーンに画像を表示可能なプロジェクタのライトバルブとして用いられてもよい。
【００２９】
駆動回路２１０は、表示部２００を構成する複数の画素部の夫々に画像信号を供給するデータ線駆動回路、及び、各画素部のオンオフをスイッチング制御する走査信号を表示部２００に供給する走査線駆動回路等の各種回路を含んで構成された回路部である。尚、特定回路部２２０の動作については、液晶分子のプレチルト角と共に詳細に説明する。
【００３０】
＜１−２：液晶装置の具体的構成＞
次に、図２及び図３を参照しながら、本実施形態に係る液晶装置１の具体的な構成を説明する。図２は、ＴＦＴアレイ基板１０をその上に形成された各構成要素と共に対向基板２０の側から見た液晶装置１の平面図であり、図３は、図２のＩＩＩ−ＩＩＩ´断面図である。本実施形態に係る液晶装置１は、駆動回路内蔵型のＴＦＴアクティブマトリクス方式で駆動される液晶装置である。
【００３１】
図２及び図３において、液晶装置１では、ＴＦＴアレイ基板１０及び対向基板２０が相互に対向配置されている。ＴＦＴアレイ基板１０及び対向基板２０間に液晶層５０が封入されており、ＴＦＴアレイ基板１０と対向基板２０とは、複数の画素で構成された画像表示領域１０ａの周囲に位置するシール領域に設けられたシール材５２により相互に接着されている。
【００３２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００３３】
液晶装置１は、データ線駆動回路１０１、及び走査線駆動回路１０４を備えている。これら回路部が、駆動回路部２１０を構成しており、特定回路部２２０は、これら回路部と共にＴＦＴアレイ基板１０上に形成されている（図１参照。）。周辺領域のうち、シール材５２が配置されたシール領域の外側に位置する領域において、データ線駆動回路１０１及び外部回路接続端子１０２がＴＦＴアレイ基板１０の一辺に沿って設けられている。走査線駆動回路１０４は、この一辺に隣接する２辺に沿って設けられている。走査線駆動回路１０４は、複数の配線１０５によって相互に電気的に接続されている。
【００３４】
対向基板２０の４つのコーナー部には、ＴＦＴアレイ基板１０及び対向基板２０間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０及び対向基板２０間で電気的な導通をとることができる。
【００３５】
図３において、ＴＦＴアレイ基板１０上には、画素スイッチング用のＴＦＴや走査線、データ線等の配線が形成された後の画素電極９ａ上に、配向膜１６（図５参照。）が形成されている。他方、対向基板２０上には、対向電極２１、及びその表面に配向膜２２（図５参照。）が形成されている。液晶層５０は、例えば一種又は数種類のネマティック液晶を混合した液晶からなり、これら一対の配向膜間で、所定の配向状態をとる。
【００３６】
液晶装置１は、その動作時に、図中下側であるＴＦＴアレイ基板２０側から液晶装置１に液晶層５０に入射した入射光を液晶層５０の配向状態に応じて変調し、当該変調された光を対向基板２０側に透過させる。
【００３７】
次に、図４を参照しながら、液晶装置１の表示部２００の回路構成を説明する。図４は、本実施形態に係る液晶装置１の表示部２００の回路構成を示した回路図である。
【００３８】
図４において、液晶装置１の画像表示領域１０ａ、即ち画像を表示する表示部２００を構成するマトリクス状に形成された複数の画素部７２の夫々は、画素電極９ａ、ＴＦＴ３０、及び液晶素子５０ａを備えている。ＴＦＴ３０は、画素電極９ａに電気的に接続されており、液晶装置１の動作時に画素電極９ａをスイッチング制御し、当該制御に応じて液晶素子５０ａを駆動する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３９】
走査線３ａがＴＦＴ３０のゲートに電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけオン状態にすることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極２１との間で一定期間保持される。
【００４０】
液晶層５０を構成する液晶は、印加される電圧レベルにより分子集合の配向や秩序が変化することにより、光を変調し、階調表示を可能とする。ノーマリーホワイトモードであれば、各画素部の単位で印加された電圧に応じて入射光に対する透過率が減少し、ノーマリーブラックモードであれば、各画素部の単位で印加された電圧に応じて入射光に対する透過率が増加され、全体として液晶装置１からは画像信号に応じたコントラストをもつ光が出射される。
【００４１】
蓄積容量７０は、画像信号がリークすることを防ぐために、画素電極９ａと対向電極２１との間に形成される液晶素子５０ａと並列に電気的に接続されている。蓄積容量７０に含まれる一対の容量電極の一方に固定電位線３００を介して固定電位が供給される。
【００４２】
次に、図１及び図５を参照しながら、本実施形態に係る液晶装置１の動作時における液晶分子のプレチルト角を説明する。図５は、本実施形態である液晶装置における液晶分子のプレチルト角を模式的に示した模式図であり、図５（ａ）は、高コントラスト仕様におけるプレチルト角θを示しており、図５（ｂ）は、高速応答仕様におけるプレチルト角θを示している。
【００４３】
図１、並びに、図５（ａ）及び（ｂ）に示すように、特定回路部２２０は、液晶装置１の用途に基づいて、液晶分子５０ｂに印加されるべき初期印加電圧Ｖａ及びＶｂの夫々を特定し、当該初期印加電圧Ｖａ及びＶｂの夫々が液晶分子５０ｂに印加されるように、画素電極９ａの電位を設定する。ここで、初期印加電圧Ｖａ及びＶｂの夫々は、画像信号に応じて液晶分子５０ｂを駆動するために当該液晶分子５０ｂに印加される駆動電圧とは異なり、液晶分子５０ｂのプレチルト角θを設定するために当該液晶分子５０ｂに印加される電圧であり、液晶装置１が表示する動画の表示品位を重視するか、或いは静止画の表示品位を重視するかに基づいて特定される用途に応じて特定される。
【００４４】
より具体的には、例えば、液晶装置１がＶＡモード（垂直配向モード）で画像を表示する場合を例に挙げると、図５（ａ）に示すように、画像のコントラストを高める場合、即ち液晶装置１が高コントラスト仕様で使用される場合には、初期印加電圧Ｖａは、当該初期印加電圧Ｖａが液晶分子５０ｂに印加された状態で液晶分子５０ｂの長軸が配向膜１６に垂直に近い角度で交わるように（即ち、プレチルト角θが９０°に近い９８°程度になるように）設定される。一方、図５（ｂ）に示すように、駆動電圧に対する液晶分子５０ｂの応答性を高めることを重視する場合、初期印加電圧Ｖｂは、初期印加電圧Ｖｂが液晶分子５０ｂに印加された状態で液晶分子５０ｂの長軸と配向膜１６とが相互に平行に近くなるように（即ち、プレチルト角θが０°に近い１°乃至２°になるように）設定される。
【００４５】
したがって、液晶装置１によれば、静止画を表示する際の表示品位を重視するか、或いは動画を表示する際の表示品位を重視するかといった当該液晶装置１の用途に応じて配向膜１６及び２２のラビング処理等の製造プロセス条件が特定されることがないため、液晶装置の製造時において、液晶装置の機種数を減らすことができ、液晶装置の生産効率を高めることが可能である。
【００４６】
加えて、液晶装置１では、特定回路部２２０は、画像を視聴するユーザが、表示部２００に表示される画像に要求する表示品位に基づいて、初期印加電圧Ｖａ及びＶｂを特定することができる。
【００４７】
より具体的には、ユーザは、液晶装置１の使用時に、動画及び静止画のどちらの画像の表示品位を重視するのかを特定する。ユーザは、動画が表示される際に生じる画像のボケを低減することを重視するのか、或いは静止画が表示される際の画像のコントラストを重視するのかを特定し、液晶装置１とユーザとの間のインターフエス機能を介してその旨を当該液晶装置１に入力する。特定回路部２２０は、ユーザによって特定された表示品位で動画或いは静止画が表示されるように、初期印加電圧Ｖａ及びＶｂを特定する。
【００４８】
したがって、液晶装置１によれば、液晶装置１が使用される際に、液晶装置１の具体的構成、より具体的には、例えば、配向膜１６及び２２のラビング処理の条件によって特定される液晶分子５０ｂのプレチルト角θに制限されることなく、ユーザが要求する表示品位で画像が表示可能となるように、液晶分子５０ｂのプレチルト角θを設定することが可能である。
【００４９】
加えて、特定回路部２２０は、表示部２２０を構成する複数の画素部７２の夫々毎に初期印加電圧Ｖａ及びＶｂを設定することも可能であり、液晶装置１によって表示される画像の輝度或いはコントラストを当該画像内で均一にすることが可能である。
【００５０】
また、液晶装置１は、当該液晶装置１の用途に応じて初期印加電圧Ｖａ及びＶｂの夫々が設定される場合に限定されるものではない。言い換えれば、液晶装置１は、画像を視聴するユーザが、表示部２００に表示される画像に要求する表示品位に基づいて、初期印加電圧Ｖａ及びＶｂを特定する機能のみを有していてもよい。このように、ユーザの要求のみについて初期印加電圧Ｖａ及びＶｂを特定する機能のみを有する液晶装置が、本発明の第２の発明に係る液晶装置の一例となる。
【００５１】
＜２：電子機器＞
次に、図６を参照しながら、上述した液晶装置を用いた電子機器の一例を説明する。本実施形態に係る電子機器は、上述した液晶装置をライトバルブに用いたプロジェクタである。図６は、本実施形態に係るプロジェクタの構成例を示す平面図である。
【００５２】
図６に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５３】
液晶パネル１１１０Ｒ、１１１０Ｂおよび１１１０Ｇの構成は、上述した液晶装置と同等であり、外部回路の一例である画像信号処理回路から供給されるＲ、Ｇ、Ｂの原色信号でそれぞれ駆動される。液晶パネル及び位相差板を含む光学系から出射された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５４】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００５５】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５６】
このようなプロジェクタは、ライトバルブとして上述の液晶装置を具備してなるので、スクリーン等の投写面に投写される投写画像の画質が高められており、高品位の画像を表示可能である。
【図面の簡単な説明】
【００５７】
【図１】本発明の第１の発明に係る液晶装置の一実施形態である液晶装置の電気的な構成を示したブロック図である。
【図２】本発明の第１の発明に係る液晶装置の一実施形態である液晶装置の平面図である。
【図３】図２のＩＩＩ−ＩＩＩ´断面図である。
【図４】本発明の第１の発明に係る液晶装置の一実施形態である液晶装置の一部である表示部の回路構成を示した回路部である。
【図５】本発明の第１の発明に係る液晶装置の一実施形態である液晶装置における液晶分子のプレチルト角を模式的に示した模式図である。
【図６】本発明に係る電子機器の一例であるプロジェクタの構成を示した平面図である。
【符号の説明】
【００５８】
１・・・液晶装置、１０・・・ＴＦＴアレイ基板、２０・・・対向基板、２００・・・表示部、２２０・・・特定回路部、Ｖａ，Ｖｂ・・・初期印加電圧
【図１】
2010060969.tif 000003
【図２】
2010060969.tif 000004
【図３】
2010060969.tif 000005
【図４】
2010060969.tif 000006
【図５】
2010060969.tif 000007
【図６】
2010060969.tif 000008